(57)【要約】      （修正有）【課題】天井埋込型の空気調和機においてドレンパン内の視認性の向上を実現すること。【解決手段】空調室の天井内に埋め込まれた本体ケーシング２の下側に配置され、室内に吹き出す吹出口２０とを有する化粧パネル１８と、本体ケーシング２内に配置され、吸込口１９から吸い込まれた空気を熱交換する熱交換器６と、この熱交換器６の下側に配置され、熱交換器６により空気が凝縮されて生じる凝縮水を受けて回収するドレンパン７とドレンポンプとを備えている。ここで、ドレンパン７は、凝縮水を受ける透明又は半透明の樹脂層を外側から断熱層９で覆って形成され、断熱層９には外側から前記樹脂層へ向かって貫通する貫通孔（１０）が少なくとも二つ形成され、この貫通孔は、樹脂層の内側に溜まる凝縮水の水位を樹脂層の外側から視認する点検用と、この点検用の孔から視認されるドレンパン７の内部の領域を照明可能な位置に配置される照明用とを有する。【選択図】図２
2007178097.tif 000002
【特許請求の範囲】
【請求項１】
空調室の天井内に埋め込まれた本体ケーシングと、該本体ケーシングの下側に配置され、前記空調室内の空気を吸い込む吸込口と該吸込口により吸い込まれた空気を前記空調室内に吹き出す吹出口とを有する化粧パネルと、前記本体ケーシング内に配置され、前記吸込口から吸い込まれた空気を熱交換する熱交換器と、前記熱交換器の下側に配置され、該熱交換器により空気が凝縮されて生じる凝縮水を受けて回収するドレンパンと、該ドレンパンに回収された前記凝縮水を汲み上げて前記本体ケーシングの外側へ排出するドレンポンプとを備えた空気調和機において、
前記ドレンパンは、前記凝縮水を受ける透明又は半透明の樹脂層を外側から断熱層で覆って形成され、該断熱層には外側から前記樹脂層へ向かって貫通する貫通孔が少なくとも二つ形成されてなり、
前記貫通孔は、前記樹脂層の内側に溜まる前記凝縮水の水位を前記樹脂層の外側から視認する点検用と、該点検用の孔から視認される前記ドレンパンの内部の領域を照明可能な照明用であることを特徴とする空気調和機。
【請求項２】
前記貫通孔は、前記点検用と前記照明用を前記ドレンパンの一側面に配置してなることを特徴とする請求項１に記載の空気調和機。
【請求項３】
前記貫通孔は、前記点検用と前記照明用の大きさと形状が同一であることを特徴とする請求項１又は２に記載の空気調和機。
【請求項４】
前記貫通孔に対応する前記樹脂層は、前記貫通孔と反対側に略半球状に膨出されてなることを特徴とする請求項１乃至３のいずれかに記載の空気調和機。
【請求項５】
前記ドレンパンの前記樹脂層の表面に鏡面のシート部材が配置されていることを特徴とする請求項１乃至４のいずれかに記載の空気調和機。
【請求項６】
前記ドレンパンの底面に略Ｖ字状の溝が形成されていることを特徴とする請求項１乃至５のいずれかに記載の空気調和機。
【請求項７】
前記貫通孔には、該貫通孔の形状に合致した断熱性を有する栓が脱着自在に取り付けられることを特徴とする請求項１乃至６のいずれかに記載の空気調和機。
【発明の詳細な説明】
【技術分野】
【０００１】
本発明は、例えば、天井埋込型などの空気調和機に関する。
【背景技術】
【０００２】
一般に、天井内に埋め込まれた空気調和機は、化粧パネルの内側に空気の吸込口と吹出口を配置し、その吸込口から空調室内の空気を吸い込んで熱交換器により熱交換し、熱交換された空気を吹出口から空調室内に吹き出している。
【０００３】
ここで、熱交換器の下方にはドレンパンが設置され、例えば、冷房運転時において、熱交換器により空気中の水分が凝縮されて生じる凝縮水をドレンパンに回収し、ドレンパンに溜まった凝縮水をドレンポンプによって汲み上げて排出している。そのため、このような空気調和機は、ドレンポンプが良好に作動することを試運転により確認するため、例えば、排水パイプに接続されるソケット部分を透明な材料で形成し、試運転時にソケット部分の凝縮水の流れを点検するようにしている。しかし、この方法によれば、ソケット部分が天井内空間に配置されるため、作業者が天井内空間に入り込んだり、化粧パネル等を外すなどして、天井を開放した状態で凝縮水の流れを視認する必要がある。
【０００４】
また、一般に、ドレンパンは、凝縮水を溜める容器を樹脂や金属製で形成し、凝縮水の熱伝導による結露を防止するため容器の周囲を断熱層で覆って形成され、不透明であることから、ドレンパン内部は空調室内側から視認できない構造となっている。このため、例えば、運転開始後にドレンパン内部の水位を視認する際は、ドレンパンに形成される点検口から内部を視認することになる。しかし、この点検口からではドレンパン内部の一部しか視認できず、ドレンパン内部の全体を視認する場合、天井内空間からドレンパンを外さなければならない。
【０００５】
これに対し、ドレンパンの底面の一部を透明の材料として上方、つまり水面側へ膨出させ、その側面部分から水位の変化を視認可能とする膨出部を備えた空気調和機が開示されている（特許文献１参照）。これによれば、ドレンパン内の凝縮水の状態を視認する際に、作業者が天井空間内に入ったり、天井を開放した状態で点検する必要がなく、作業性を向上できる。
【０００６】
しかし、このようにドレンパンの底部から上方へ膨出させる膨出部は、その膨出高さを十分に確保しなければ、凝縮水の水位変化を視認することができない。また、膨出部の膨出高さを大きくすると、水平方向の視認性を保つため、膨出部も幅方向で大きくしなければならず、設置スペースが制限される。また、ドレンパン底部は、凝縮水により生じるヘドロ等で汚れ易いため、その汚れによって膨出部の視認性が損なわれるおそれがある。
【０００７】
そこで、ドレンパンの側面壁に透明又は半透明の透視部を形成した空気調和機が開示されている（特許文献２）。これによれば、ドレンパンの形状や底部の汚れ等に影響されず、凝縮水の流れを視認することができる。
【０００８】
【特許文献１】特開平９−５３８３７号公報
【特許文献２】特開２００５−１４０４５２号公報
【発明の開示】
【発明が解決しようとする課題】
【０００９】
しかしながら、特許文献２の技術によれば、ドレンパンの形状等によらず、凝縮水の流れを視認できるが、天井内空間に設置される空気調和機においては、ドレンパンの内部が非常に暗いため、ドレンパン内部の特定部分しか視認することができず、十分な視認性を得ることができないという問題がある。
【００１０】
本発明は、天井埋込型の空気調和機において、ドレンパン内の視認性を向上させることを課題とする。
【課題を解決するための手段】
【００１１】
上記課題を解決するため、本発明は、空調室の天井内に埋め込まれた本体ケーシングと、本体ケーシングの下側に配置され、空調室内の空気を吸い込む吸込口とその吸込口により吸い込まれた空気を空調室内に吹き出す吹出口とを有する化粧パネルと、本体ケーシング内に配置され、吸込口から吸い込まれた空気を熱交換する熱交換器と、熱交換器の下側に配置され、熱交換器により空気が凝縮されて生じる凝縮水を受けて回収するドレンパンと、そのドレンパンに回収された凝縮水を汲み上げて本体ケーシングの外側へ排出するドレンポンプとを備えた空気調和機において、ドレンパンは、凝縮水を受ける透明又は半透明の樹脂層を外側から断熱層で覆って形成され、断熱層には外側から前記樹脂層へ向かって貫通する貫通孔が少なくとも二つ形成されてなり、貫通孔は、樹脂層の内側に溜まる凝縮水の水位を樹脂層の外側から視認する点検用と、この点検用の孔から視認されるドレンパンの内部の領域を照明可能な照明用であることを特徴とする。
【００１２】
これによれば、例えば、照明用の貫通孔からドレンパン内部に光を照射することでドレンパン内部を明るく照らすことができるため、点検用の貫通孔において視認性の大幅な向上を実現し、ドレンパン内部の汚れや凝縮水の水位変化を容易に把握することができる。
【００１３】
また、点検用と照明用の相対位置を適宜設定することにより、ドレンパン内部の視認性を効率的に向上できる。例えば、点検用と照明用の貫通孔をドレンパンの一側面に配置することにより、点検用の貫通孔から視認できる領域を効率的に照明することができる。また、点検用の貫通孔に対し、照明用の貫通孔を対向させて配置するようにしてもよい。また、点検用と照明用を一対とする貫通孔を、ドレンパンの壁面に複数分散して配置することで、ドレンパン内部をあらゆる角度から視認できるため、全体的な内部状況を把握できる。
【００１４】
ここで、点検用と照明用の貫通孔は大きさと形状を同一とすることで、点検用と照明用を区別せずに、両者を交互に使用することができ、点検位置の選択自由度を増やすことができる。
【００１５】
また、貫通孔に対応する樹脂層を貫通孔と反対側に略半球状に膨出させて形成することにより、貫通孔を大きくしなくても視野範囲を拡げることができ、加えて、照明からの光をドレンパン内部に拡散させることができるため、視認性の向上を効率的に実現できる。
【００１６】
また、ドレンパンの樹脂層の表面には、断熱層と反対側の面に鏡面のシート部材を配置するようにしてもよい。これによれば、例えば、貫通孔から覗いても通常は見えない部分まで視認することができるため、視認性の向上を効率的に実現できる。
【００１７】
また、ドレンパンの底面には、略Ｖ字状の溝を形成するようにしてもよい。これによれば、溝付近の貫通孔から溝内を覗くことで、現地特有のドレンパンの汚れ状況を溝の埋まり具合で容易に認識できるため、ドレンパンの清掃時期を把握することができ、サービス性及びメンテナンス性を向上できるという効果がある。
【００１８】
また、貫通孔には、この貫通孔の形状に合致した断熱性を有する栓が脱着自在に取り付けられるようにする。すなわち、ドレンパンの汚れや凝縮水の水位変化の視認時には、貫通孔より栓を取り外して空調室内側より視認可能とし、視認終了後には、貫通孔に栓を装着することにより、凝縮水の熱伝導による結露を防止して、空気調和機としての信頼性を確保することができる。なお、点検用と照明用の貫通孔は、上記のように、大きさと形状が同一であれば、点検用と照明用の栓を共通化することができ、コスト削減に効果がある。
【発明の効果】
【００１９】
本発明の空気調和機によれば、ドレンパン内の視認性の向上を実現できる。
【発明を実施するための最良の形態】
【００２０】
以下、図面を用いて本発明の実施形態を説明する。図１は本発明を適用してなる天井埋込型の空気調和機の概略構成図である。図２は本発明を適用してなる天井埋込型の空気調和機において図１のＡ−Ａ断面図である。図３は本発明を適用してなる天井埋込型の空気調和機にかかるドレンパンの斜視図である。
【００２１】
本実施形態の天井埋込型の空気調和機１は、図に示すように、空調室内の天井Ｐに形成される開口部Ｕに挿入配置され、下方の空調室内側に開口部を有する本体ケーシング２が天井内空間に据え付けられている。本体ケーシング２の開口部には、化粧パネル１８が設けられ、この化粧パネル１８の裏側、つまり上方には空調室内の空気を吸い込む吸込口１９と、吸込口１９から吸い込まれた空気を熱交換して室内側に噴出す吹出口２０とが配置される。
【００２２】
本体ケーシング２内の上方の中央部には送風機用電動機３が配置され、送風機用電動機３の下方には送風機（ターボファン）４が連結される。これにより送風機用電動機３が駆動すると、送風機４が回転し、化粧パネル１８の吸込口１９から吸い込まれた空調室内の空気は本体ケーシング２の下側に配置されるベルマウス５を介して整流され、送風機４の外周方向に吹き出される。そして、この吹き出された空気は送風機４を外周側から囲んで配置される熱交換器６により冷却または過熱され、本体ケーシング２の側面付近を通って化粧パネル１８の吹出口２０より空調室内へ吹き出されるように構成される。
【００２３】
熱交換器６の下側には空気中の水分が凝縮されて生じる凝縮水（以下、ドレン水という。）を受けるためのドレンパン７が配置される。ドレンパン７は、中央部が円形に刳り貫かれた略４角形状の枠体からなり、この枠体には、上方に開口する溝部（水槽部８）が形成される。すなわち、ドレンパン７の水槽部８に回収されたドレン水は、溝底面に配置されたドレンポンプ１６によって吸い上げられ、ソケット１７を介して本体ケーシング２の外へ排出される。
【００２４】
ドレンパン７は、ドレン水を受ける透明な樹脂製の水槽部８と、この水槽部８を外側から断熱する断熱層９の２層構造となり、断熱層９はドレン水の熱伝達による結露を防止する役割を果たしている。本実施形態では、この断熱層９に水槽部８側へ貫通させた貫通孔となる透視部１０が形成される。透視部１０は、図に示すように、ドレンパン７の一側面に２箇所配置されており、一方はドレンパン７内部を覗くための点検口、他方は懐中電灯等でドレンパン７内部を明るく照らすための明かり取入口となる。ここで、明かり取入口は、点検口から視認されるドレンパン７内の領域を照明可能な位置に配置される。
【００２５】
また、天井埋込型の空気調和機１の据付後は、透視部１０の貫通孔に装着された断熱性の栓（カバー）１１を取り外すことにより、容易に空調室内側からドレンパン７の底部の汚れやドレン水の水位変化を視認できる構造となる。
【００２６】
このように、複数の透視部１０をドレンパン７に設置することで、明かり取入口からドレンパン７内部へ明かりを取り入れることができ、点検口から視認できる領域を明るく照明することができる。これによりドレンパン７内部の視認性を大幅に向上させることができ、ドレンパン内部の汚れや凝縮水の水位変化を容易に把握することができる。また、透視部１０をドレンパン７の外周側壁に配置することにより、化粧パネル１８の吹出口２０を通じて空調室内からドレンパン７内部を視認することができるため、従来のように化粧パネル１８を取り外して天井Ｐを開放する必要が無く、ドレンパン７内部を視認する際の作業性を向上できるという効果がある。
【００２７】
また、ドレンパン７の視認終了後は再び貫通孔に栓１１を装着することにより、凝縮水の熱伝達による結露を防止して、空気調和機としての信頼性を確保することができる。
【００２８】
また、透視部１１を３箇所以上配置することにより、点検口と明かり取入口の選択自由度を増し、ドレンパン７内部の視認範囲を拡げることができる。ここで、点検口と明かり取入口は、大きさと形状を同一に形成することにより、例えば、貫通孔の加工費用を低減できるだけでなく、栓１１を共通に使用することができるため、部品の標準化が可能となり、製造費用を低減することができる。さらに、栓１１の脱着時においては、貫通孔の設置位置に寄らず、何れの貫通孔にも脱着可能となるため、作業性を向上させることができる。
【００２９】
また、本実施形態では、透視部１０として点検口と明かり取入口をドレンパン７の断熱層９の一側壁面に配置する例を説明したが、この位置に限定されるものではなく、例えば、他の壁面や下面に設置してもよく、設置数においても制限されるものではない。
【００３０】
次に、ドレンパン７の製造方法について説明する。先ず、ドレンパン７の水槽部８は、真空成形又は射出成形により、例えば、透明な樹脂製で形成される。樹脂の材質としては、ＡＢＳ樹脂、ＰＳ樹脂又はＰＰ樹脂等、成形性が良好で汎用性を有するものを使用する。ドレンパン７の断熱層９は、発泡成形により、例えば、発泡スチロール製で形成されるが、発泡成形の際に発泡成形型に水槽部８をインサートすることで、水槽部８と断熱層９が一体的となったドレンパン７を製造することができる。また、栓１１は貫通孔の形状に合致して断熱性を有することから、ドレンパン７の断熱層９と同じ発泡スチロール製を使用し、ドレンパン７の発泡成形型にドレンパン７と共取りして製造することにより金型費とコストを低減することができる。
【００３１】
次に、本発明の他の実施形態について説明する。図４は、本発明を適用してなる天井埋込型の空気調和機の他の実施形態を示す断面図（図１のＡ−Ａ断面）である。
【００３２】
図に示すように、本実施形態では、透視部１０の断熱層９に対応する水槽部８の樹脂層をドレンパン７の内側に略半球状に膨出させて凸型レンズを形成する。これにより、透視部１０の孔径を拡大しなくても透視部１０による視認範囲を拡げることができる一方、懐中電灯等で照らした明かりをドレンパン７の内部に拡散させることができるため、視認性を効果的に向上できるという効果がある。さらに、透視部１０の大きさの変更が不要となるため、ドレンパン７の大きさや形状等に影響されることがなく、透視部１０の配置位置の設計自由度を増やすことができる。
【００３３】
ここで、透視部１０の凸型レンズはドレンパン７の水槽部８を真空成形または射出成形により同時に形成し、次いで、レンズ部分を写真機等のレンズ製造で用いられるレンズ研磨機等によって仕上げ加工を施してもよいし、鏡面仕上げが施された金型を用いて直接成形により形成するようにしてもよい。
【００３４】
図５は、ドレンパン７の底面に形成される断面Ｖ字状の溝部分を拡大して示す断面図（図２のＢ−Ｂ断面）である。
【００３５】
図に示すように、ドレンパン７の水槽部８の底面にＶ字状の溝１２を形成することにより、溝内に蓄積されるヘドロの状況を溝１２付近のドレンパン７に配置される透視部１０で視認することができ、容易に現地特有のドレンパン７の汚れ状況を認識することができる。また、ドレンパン７の清掃時期を把握することができるため、サービス性およびメンテナンス性を向上できるという効果がある。
【００３６】
なお、溝１２はドレンパン７の水槽部８を真空成形又は射出成形により形成する際に同時に形成することができる。
【００３７】
また、図６に示すように、ドレンパン７の水槽部８の側面壁１４の所定位置には、表面が鏡面のシート素材１３が貼付される。このように、例えば、ドレンパン７の水槽部８の所定位置にシート素材１３を配置することにより、図の矢印Ｑに示すように、ドレンパン７内部を透視部１０から覗いても通常は見えない側面壁１５の詳細部分まで同時に視認することができるため、視認性を向上できるという効果がある。
【００３８】
このように、本実施形態では、シート素材１３をドレンパン７の水槽部８の側面壁１４に配置する例を説明したが、これに限定されず、例えば、透視部１０の配置位置や配置数との組み合わせに応じて複数のシート素材１３を所定位置に配置するようにしてもよい。なお、シート素材１３は汎用性のあるアルミ付テープを使用するものとするが、表面が鏡面となっているシート素材のものであれば、これに限定されるものではない。
【図面の簡単な説明】
【００３９】
【図１】本発明を適用してなる天井埋込型の空気調和機の概略構成図である。
【図２】本発明を適用してなる天井埋込型の空気調和機における図１のＡ−Ａ断面図である。
【図３】本発明を適用してなる天井埋込型の空気調和機にかかるドレンパンの斜視図である。
【図４】本発明を適用してなる天井埋込型の空気調和機において他の実施形態における図１のＡ−Ａ断面である。
【図５】本発明を適用してなる天井埋込型の空気調和機において他の実施形態にかかる図２のＢ−Ｂ断面である。
【図６】本発明を適用してなる天井埋込型の空気調和機において他の実施形態にかかるドレンパンの斜視図である。
【符号の説明】
【００４０】
１  空気調和機
２  本体ケーシング
３  送風機用電動機
４  送風機（ターボファン）
６  熱交換器
７  ドレンパン
８  水槽部
９  断熱層
１０  透視部
１１  栓（カバー）
１２  溝
１３  シート素材
１８  化粧パネル
１９  吸込口
２０  吹出口
【図１】
2007178097.tif 000003
【図２】
2007178097.tif 000004
【図３】
2007178097.tif 000005
【図４】
2007178097.tif 000006
【図５】
2007178097.tif 000007
【図６】
2007178097.tif 000008